(57)【特許請求の範囲】
【請求項１】
浴室床の一辺を構成する外縁に沿って下載置部と段差面を介して下載置部よりも一段高い上載置部を形成し、上載置部の外縁から立ち上げた立上片に取付けられる左右対称なジョイナー受け部材を備え、ジョイナー受け部材の上面に嵌入部を形成し、ジョイナー受け部材の側面の前後方向の中央部に外側方及び下方に開口する嵌込凹部を形成し、ジョイナー受け部材の前面及び後面の夫々の嵌込凹部側の半部から嵌入部よりも下方に位置する補強部を突設し、ジョイナー受け部材の嵌込凹部を上載置部から立ち上げた立上片の下載置部側の端部に嵌め込んで、ジョイナー受け部材の片側が下載置部側に突出するように立上片に取付け、柱状で前方に開口する断面略コ字状のジョイナーの下端部をジョイナー受け部材の嵌入部に嵌め込んだ状態で該ジョイナーをジョイナー受け部材の上面に立設し、浴室の壁を構成する壁パネルとして、下載置部上に立設する下側壁パネルと、上載置部上に立設する下側壁パネルよりも上下長さの短い上側壁パネルを備え、両壁パネルの表面板の側縁及び下縁を後方に折り曲げて側片と底片を形成すると共にこれら側片と底片を一体に連続させ、側片の後端を内側で折り返して底片よりも上方に位置する係止部を形成すると共に、底片と係止部の間に後方に開口する空所を形成し、底片を下載置部上に載置した下側壁パネル及び底片を上載置部上に載置した上側壁パネルの夫々の側片を断面略コ字状のジョイナーの両側壁間に形成される収納溝内に収納すると共に、各壁パネルの係止部をジョイナーの各側壁の前端部の内側に形成した被係止部に夫々係止し、且つ下側壁パネルの係止部をジョイナー受け部材の嵌込凹部と反対側の半部の前方に位置させると共に、上側壁パネルの側片の係止部を形成していない下端部をジョイナー受け部材から前方に向けて突出した補強部の側面に沿わせ、上側壁パネルの側片の上下方向の略全長に亘る部分と、下側壁パネルの側片との間にガスケットを打ち込んだことを特徴とする壁パネルの連結構造。
【請求項２】
上記ジョイナー受け部材の前面及び後面から突出した補強部の夫々の基端部を各補強部の他部よりも薄肉とした切断可能部とすることを特徴とする請求後１に記載の壁パネルの連結構造。
【請求項３】
上記段差面の後部に上下方向の略全長に亘ってバックアップ材を取付け、該バックアップ材の前面に下載置部に載置した下側壁パネルの側片の後端を近接させ、該下側壁パネルの側片と段差面の前部との間にコーキング材を充填したことを特徴とする請求項１又は請求項２に記載の壁パネルの連結構造。
【発明の詳細な説明】
【技術分野】
【０００１】
本発明は浴室における壁パネルの連結構造に関する。
【背景技術】
【０００２】
従来のユニットバスルームよりなる浴室の壁を構成する壁パネルの連結構造としては例えば特許文献１に示すものが知られている。このものは浴室床の一辺を構成する外縁に沿って平坦な載置部を形成し、該浴室床の載置部の外縁から立ち上げた立上片にジョイナー受け部材を取付け、柱状で前方に開口する断面略コ字状のジョイナーをジョイナー受け部材上に立設し、壁パネルの表面板の側縁から後方に向けて側片を突出させ、該側片の後端を内側で折り返して係止部を形成し、ジョイナーを挟むように載置部上に立設した両側の壁パネルの夫々の表面板の側片を断面略コ字状のジョイナーの両側壁間に形成される収納溝内に収納すると共に、各壁パネルの係止部をジョイナーの各側壁の前端部の内側に形成した被係止部に夫々係止し、ジョイナー内に収納された両壁パネルの側片間にガスケットを打ち込んでいる。
【０００３】
ところで例えば浴槽部５６と洗い場部を備えた浴室床にあっては、図１６に示すように浴槽部５６側の外縁を浴槽部５６の上端のフランジ部分と略同じ高さとして洗い場部側の外縁よりも一段高くすることがあり、この場合は浴室床の一辺を構成する外縁に沿って洗い場部側の下載置部と該下載置部に段差面を介して連続する下載置部よりも一段高い浴槽部５６側の上載置部４を形成され、下載置部上に下側壁パネル８を立設され、上載置部４上に下側壁パネル８よりも上下長さが短い上側壁パネル９を立設される。
【０００４】
この下側壁パネル８及び上側壁パネル９を連結するには従来では図１７（ａ）に示す右用ジョイナー受け部材５４ａ又は図１７（ｂ）に示す左用ジョイナー受け部材５４ｂが用いられてた。ジョイナー受け部材５４ａ、５４ｂは後端に引掛け片５５を有する。引掛け片５５は浴室床の上載置部４の外縁から立ち上げた立上片に引掛けて取付けられる。ジョイナー受け部材５４ａ、５４ｂの上面には嵌入部５７を形成してあり、該嵌入部５７に下端部を嵌め込んだ状態で上記特許文献１に示すジョイナーと同様のジョイナー７がジョイナー受け部材５４ａ、５４ｂ上に立設される。そして下載置部上に立設した下側壁パネル８及び上載置部４上に立設した上側壁パネル９の夫々の側片２８（図１２参照）を断面略コ字状のジョイナー７の両側壁２３間に形成される収納溝２４内に収納すると共に、各壁パネル８、９の係止部３９をジョイナー７の各側壁２３の前端部の内側に形成した被係止部２５に夫々係止し、各壁パネル８、９のジョイナー７内に収納された側片２８間にガスケットを打ち込むことで、下側壁パネル８と上側壁パネル９が連結される。
【０００５】
ここで上記浴室床の下載置部及び上載置部４上に立設される各壁パネル８、９には例えば図１２に示すような壁パネル８、９が利用される。この壁パネル８、９は表面板２６の側縁及び下縁を後方に折り曲げて側片２８及び底片３０を形成すると共に側片２８と底片３０を一体に連続させ、側片２８の後端を内側で折り返して底片３０よりも上方に位置する係止部３９を形成すると共に、底片３０と係止部３９の間に後方に開口する空所４０を形成したものであり、このような壁パネル８、９にあっては載置部に載置される底片３０と側片２８とが連続して角部を形成しているので、側片２８と底片３０の間から水が漏れ出すことを防止できるという利点がある。
【０００６】
なお前記表面板２６の底片３０と係止部３９の間に形成された空所４０は以下の理由により形成されている。即ち壁パネル８、９の製造は、例えば表面板２６を構成する矩形平板状の金属板のコーナー部の外縁部を切欠き、該金属板の切欠を挟む両側の辺部を折り曲げて係止部３９付き側片２８及び底片３０を形成し、この後、表面板２６の係止部３９と底片３０との間に形成された後方に開口する空所に後方から絞り加工用の治具を挿入して、該治具を側片２８と底片３０の間の曲げ残された部分である曲げ残し部の内面側に位置させ、この後、曲げ残し部の外面をローラ等で押さえて該曲げ残し部を治具の外面に沿って折り曲げて絞り加工し、これにより図１５に示すように側片２８と底片３０とがこの間の角部を介して一体に連続するものであり、つまり前記空所４０は係止部３９付き側片２８と底片３０との間のコーナー部を絞り加工するための治具を挿入するためのものである。
【０００７】
しかし上記壁パネル８、９は側片２８の下端部に係止部３９を形成していないため同部の強度が弱いという問題がある。従ってこのような壁パネル８、９を上記上載置部４上に立設される上側壁パネル９として利用した場合は、上側壁パネル９の側片２８の係止部３９を形成していない下端部と下側壁パネル８の側片２８との間にガスケットを打ち込んだ際に、側片２８の係止部３９を形成していない下端部が変形してしまう恐れがある。このため従来では図１７に示すようにジョイナー受け部材５４ａ、５４ｂの表面の片側半部（上側壁パネル９側の半部）には補強部５８を突設してあり、該補強部５８の側面に上側壁パネル９の側片２８における係止部３９を形成していない下端部を沿わせることで、上側壁パネル９の側片２８の係止部３９を形成していない下端部が前記ガスケットの打ち込みにより変形することを防止している。なおジョイナー受け部材５４ａ、５４ｂの他側の半部（即ち下側壁パネル８側の半部）には溝５９を形成してあり、該溝５９内に下側壁パネル８の側片２８及び係止部３９を収納している。
【０００８】
ところで図１７（ａ）に示すジョイナー受け部材５４ａ、５４ｂは、右側の半部に補強部５８を有すると共に左側の半部に溝５９を有するものであり、つまり右側に上側壁パネル９が位置し、左側に下側壁パネル８が位置するものである。従って逆に左側に上側壁パネル９が位置する場合にはジョイナー受け部材５４ａの補強部５８に下側壁パネル８の係止部３９が当たってしまうため該ジョイナー受け部材５４ａを利用できない。このため従来は上記のように右半部に補強部５８を形成して右側に上側壁パネル９が位置する場合に使用されるジョイナー受け部材５４ａと、左半部に補強部５８を形成して左側に上側壁パネル９が位置する場合に使用されるジョイナー受け部材５４ｂとを２種類用意してこれらを選択して利用していたのだが、この場合、ジョイナー受け部材５４ａ、５４ｂを兼用できず製造コストが高くなるという問題が生じる。
【特許文献１】特開２００５−９２３０号公報
【発明の開示】
【発明が解決しようとする課題】
【０００９】
本発明は上記従来の問題点に鑑みて発明したものであって、ガスケットの打ち込みに伴い上側壁パネルの側片の係止部を形成していない下端部が変形することを防止でき、しかもジョイナー受け部材は、浴室側から見て右側に上載置部が位置し且つ左側に下載置部が位置する場合も、左側に上載置部が位置し且つ右側に下載置部が位置する場合も共に利用することができてジョイナー受け部材の製造コストを削減できる壁パネルの連結構造を提供することを課題とするものである。
【課題を解決するための手段】
【００１０】
上記課題を解決するために本発明に係る壁パネルの連結構造は、浴室床１の一辺１ａを構成する外縁に沿って下載置部２と段差面３を介して下載置部２よりも一段高い上載置部４を形成し、上載置部４の外縁から立ち上げた立上片５に取付けられる左右対称なジョイナー受け部材６を備え、ジョイナー受け部材６の上面に嵌入部１５を形成し、ジョイナー受け部材６の側面の前後方向の中央部に外側方及び下方に開口する嵌込凹部１７を形成し、ジョイナー受け部材６の前面及び後面の夫々の嵌込凹部１７側の半部から嵌入部１５よりも下方に位置する補強部１９、２０を突設し、ジョイナー受け部材６の嵌込凹部１７を上載置部４から立ち上げた立上片５の下載置部２側の端部に嵌め込んで、ジョイナー受け部材６の片側が下載置部２側に突出するように立上片５に取付け、柱状で前方に開口する断面略コ字状のジョイナー７の下端部をジョイナー受け部材６の嵌入部１５に嵌め込んだ状態で該ジョイナー７をジョイナー受け部材６の上面に立設し、浴室の壁を構成する壁パネルとして、下載置部２上に立設する下側壁パネル８と、上載置部４上に立設する下側壁パネル８よりも上下長さの短い上側壁パネル９を備え、両壁パネル８、９の表面板２６の側縁及び下縁を後方に折り曲げて側片２８と底片３０を形成すると共にこれら側片２８と底片３０を一体に連続させ、側片２８の後端を内側で折り返して底片３０よりも上方に位置する係止部３９を形成すると共に、底片３０と係止部３９の間に後方に開口する空所４０を形成し、底片３０を下載置部２上に載置した下側壁パネル８及び底片３０を上載置部４上に載置した上側壁パネル９の夫々の側片２８を断面略コ字状のジョイナー７の両側壁２３間に形成される収納溝２４内に収納すると共に、各壁パネル８、９の係止部３９をジョイナー７の各側壁２３の前端部の内側に形成した被係止部２５に夫々係止し、且つ下側壁パネル８の係止部３９をジョイナー受け部材６の嵌込凹部１７と反対側の半部の前方に位置させると共に、上側壁パネル９の側片２８の係止部３９を形成していない下端部をジョイナー受け部材６から前方に向けて突出した補強部１９の側面に沿わせ、上側壁パネル９の側片２８の上下方向の略全長に亘る部分と、下側壁パネル８の側片２８との間にガスケット１０を打ち込んだことを特徴とする。
【００１１】
下側壁パネル８の側片２８と上側壁パネル９の側片２８の係止部３９を形成していない強度の弱い下端部との間にガスケット１０を打ち込んだ場合、上側壁パネル９の側片２８の係止部３９を形成していない下端部には外側に向けて力がかかるが、該上側壁パネル９の側片２８の係止部３９を形成していない下端部はジョイナー受け部材６の補強部１９の側面に沿っているので、該補強部１９によりガスケット１０の打ち込みに伴い上側壁パネル９の側片２８の係止部３９を形成していない下端部が外側に広がるように変形することを防止できる。また上記ジョイナー受け部材６を左右対称とし、且つジョイナー受け部材６の前面及び後面の夫々の嵌込凹部１７側の半部から嵌入部１５よりも下方に位置する補強部１９、２０を突設したので、ジョイナー受け部材６は浴室側から見て右側に上載置部４が位置し且つ左側に下載置部２が位置する場合も左側に上載置部４が位置し且つ右側に下載置部２が位置する場合も共に利用することができ、ジョイナー受け部材６の製造コストを削減できる。
【００１２】
また上記ジョイナー受け部材６の前面及び後面から突出した補強部１９、２０の夫々の基端部を各補強部１９、２０の他部よりも薄肉とした切断可能部２２とすることも好ましい。
【００１３】
この場合、切断可能部２２を切断工具４９で容易に切断でき、このように切断することで補強部１９、２０を除去できる。従ってジョイナー受け部材６のすぐ後方に建物躯体が位置する場合に、側片２８の補強に用いない補強部１９又は２０を除去して、補強部１９又は２０が後方の建物躯体に干渉しないようにできる。
【００１４】
また上記段差面３の後部に上下方向の略全長に亘ってバックアップ材４３を取付け、該バックアップ材４３の前面に下載置部２に載置した下側壁パネル８の側片２８の後端を近接させ、該下側壁パネル８の側片２８と段差面３の前部との間にコーキング材５０を充填することも好ましい。
【００１５】
この場合、該バックアップ材４３により下側壁パネル８の側片２８と段差面３の前部との間に充填されるコーキング材５０が外部に漏れ出ることを防止できる。
【発明の効果】
【００１６】
本発明では補強部によりガスケットの打ち込みに伴い上側壁パネルの側片の係止部を形成していない下端部が外側に広がるように変形することを防止でき、またジョイナー受け部材は、浴室側から見て右側に上載置部が位置し且つ左側に下載置部が位置する場合も、左側に上載置部が位置し且つ右側に下載置部が位置する場合も共に利用することができ、ジョイナー受け部材の製造コストを削減できる。
【発明を実施するための最良の形態】
【００１７】
以下、本発明を添付図面に示す実施形態に基いて説明する。
【００１８】
本発明の壁パネルの連結構造は、図４に示すように浴室床１の一辺１ａを構成する外縁に沿って下載置部２と段差面３を介して下載置部２よりも一段高い上載置部４を形成し、図２のように上載置部４の外縁から立ち上げた立上片５の下載置部２側の端部にジョイナー受け部材６を取付け、該ジョイナー受け部材６上にジョイナー７を立設し、このジョイナー７で図３のように、下載置部２上に立設した下側壁パネル８と、上載置部４上に立設した下側壁パネル８よりも上下長さの短い上側壁パネル９の側端部同士を連結すると共に、下側壁パネル８と上側壁パネル９間に長尺なガスケット１０を打ち込んでなるものである。
【００１９】
本実施形態の壁パネルの連結構造が適用される浴室床１は図４に示すようにＦＲＰ等の合成樹脂で形成され、床パンからなる洗い場部１１と該洗い場部１１に隣接する別体の浴槽部１２とで構成され平面視形状が矩形状である。洗い場部１１の中央の床面部１１ａは段面４８を介して浴槽部１２の上端外周に設けた一段高いフランジ部１２ａよりも低位置にあり、床面部１１ａとフランジ部１２ａは段面４８を介して接続してある。
【００２０】
本例の壁パネルの連結構造は上記浴室床１の洗い場部１１と浴槽部１２に跨る図４の１ａに示す一辺において適用されるものであり、図５のように浴室床１の一辺１ａにおいて洗い場部１１側に下載置部２を形成してあり、また浴槽部１２側に上載置部４を形成してあり、下載置部２及び上載置部４間を段差面３を介して接続している。つまり浴室側から見て右側に上載置部４が位置し、左側に下載置部２が位置している。また下載置部２及び上載置部４の外縁には全長に亘って立上片５を一体に立上げている。
【００２１】
ここで下載置部２及び上載置部４は、図６のように浴室床１に一体に連続して該浴室床１の床面部１１ａよりも一段高い片部１３ａであっても良いし、また図７（ａ）のように浴室床１に一体に連続して該浴室床１の中央の床面部よりも一段低い片部１３ｂであっても良いし、また図７（ｂ）のように浴室床１とは別体の浴室床１の外縁に設けたブロック状の巾木１３ｃであっても良い。また段差面３は上載置部４や下載置部２に一体に形成してあっても良いし、別体であっても良い。
【００２２】
上載置部４の立上片５に取付けられるジョイナー受け部材６は図８及び図９に示すように左右方向の中心を通る上下方向と平行な中心線Ａで線対称となる左右対称な部材であって合成樹脂製である。
【００２３】
ジョイナー受け部材６の上端部は平面視で左右方向に長い略長方形状であって、該ジョイナー受け部材６の上面の両側には前後方向の全長に亘る側壁嵌め込み溝１４を形成してあり、ジョイナー受け部材６の両側壁嵌め込み溝１４間の部分で嵌入部１５を形成している。また嵌入部１５の中央には前後方向の全長に亘るガスケット挿入溝１６を形成している。
【００２４】
ジョイナー受け部材６の一方の側面の前後方向の中央部には外側方及び下方に開口する嵌込凹部１７を形成している。嵌込凹部１７の外側方を向く底面はジョイナー受け部材６の左右方向略中央部にまで至っている。
【００２５】
またジョイナー受け部材６の前面及び後面の夫々の嵌込凹部１７側の半部には嵌込凹部１７とは反対側の半部よりも突出した上下に長い台部１８を形成してあり、台部１８は嵌入部１５よりも下方の位置からジョイナー受け部材６の下端に至るまで形成してある。各台部１８の上端部には矩形状の補強部１９、２０を突設している。各補強部１９、２０の夫々の基端部の上面及び下面には左右方向の全長に亘って刃部挿入溝２１を形成してあり、これにより各補強部１９、２０の基端部にこれよりも先端側の他部よりも薄肉にした切断可能部２２を形成している。
【００２６】
図１０のようにジョイナー７は柱状で、金属板を折り曲げることで前方に開口する断面略コ字状に形成してあり、両側壁２３間に収納溝２４を形成している。ジョイナー７の各側壁２３の前縁の内側には全長に亘って被係止部２５を形成している。図３のように被係止部２５はジョイナー７の各側壁２３の前縁を内側で折り返すことで形成されるものであり、各側壁２３の前縁を内側方に向けて直角に折り曲げた後、外側斜め後方に向けて折り曲げることで平面視で三角形状に形成されている。
【００２７】
下側壁パネル８及び上側壁パネル９は、上側壁パネル９の上下寸法が下側壁パネル８の上下寸法よりも段差面３の高さ寸法分短くなっており、これにより両壁パネル８、９を立設した際には下側壁パネル８の上端と上側壁パネル９の上端とが同レベルに位置するようになっている。
【００２８】
下側壁パネル８及び上側壁パネル９は上下寸法が異なるが、その他の構成は同様の構成を有する。各壁パネル８、９は金属製の表面板２６と表面板２６の後面に取付けられる断熱材２７を備えている。表面板２６の両側縁及び上縁及び下縁は後方に向けて折り曲げてあり、これにより側片２８と上面片２９と底片３０の夫々を形成している。上面片２９は表面板２６の上縁の両端部を除いた部分に形成され、上面片２９と各側片２８の間に上方に開口する開口部３１を形成している。また各側片２８は表面板２６の側縁の全長に亘って形成され、底片３０は表面板２６の下縁の全長に亘って形成され、各側片２８と底片３０はコーナー部を介して一体に連続させてある。
【００２９】
底片３０の後縁は上方に向けて垂直に折り曲げてあって取付片３２を形成してあり、該取付片３２は底片３０の左右方向の両端部を除く部分に形成してある。図１３に示すように取付片３２の適宜箇所には後述の引掛け具３６の取付けに利用されるだるま孔３３を形成している。だるま孔３３は片側が上下幅の大きい大幅孔部３４となり、他側が上下幅が小さい小幅孔部３５となっている。
【００３０】
図６のように引掛け具３６は後部を立上片５に引掛け可能なものであり、前面から突起３８を突出している。突起３８の上下幅は後端から前方に行く程大きくなり、前端の上下幅はだるま孔３３の小幅孔部３５の上下幅より大きく且つ大幅孔部３４の上下幅よりも小さい。従ってこの引掛け具３６の突起３８を取付片３２の後方からだるま３３の大幅孔部３４に通して取付片３２の前方に位置させ、この状態で引掛け具３６を側方にスライド移動して突起３８を小幅孔部３５内に位置させて孔縁で保持することで、引掛け具３６を取付片３２に沿って取付けられる。なお引掛け具３６の上端部は前方に突出し、該突出部分の先端は表面板２６の後面に当接する。
【００３１】
また図１２のように各側片２８の後縁は内側で折り返してあり、これにより底片３０よりも上方に位置する係止部３９を形成すると共に、底片３０と係止部３９の間に後方に開口する空所４０を形成している。図示例の係止部３９は側片２８の後縁を内側斜め前方に向けて折り曲げた後さらにこの前縁を外側斜め前方に向けて折り曲げて三角形状に形成されている。ここで上記底片３０と係止部３９の間に後方に開口する空所４０を形成したのは背景技術の欄で記載したように該空所４０に側片２８と底片３０との間のコーナー部を絞り加工するための治具を挿入するためである。
【００３２】
また下側壁パネル８と上側壁パネル９の間に打ち込まれるガスケット１０は両側面に前側に向けて複数の弾性ひれ片４１（図３参照）を形成している。ガスケット１０の上下寸法は上側壁パネル９の側片２８の上下寸法と略同じである。
【００３３】
そして浴室に下側壁パネル８及び上側壁パネル９を建て込む場合は、例えばまず上側壁パネル９に取付けた引掛け具３６の後部を上載置部４から立ち上げた立上片５に上方から引掛ける（図６参照）と共に、図１のように該上側壁パネル９の底片３０を上載置部４の上面にパッキン材４２を介して載置した状態で、上側壁パネル９を後方に押し込んで上側壁パネル９の側片２８に形成した係止部３９を浴室床１のコーナー部に立設した図示しないコーナー用ジョイナーに係止し、図１０のように上載置部４上に上側壁パネル９を立設する。
【００３４】
次に下載置部２から立ち上げた垂直な段差面３の後部に沿って上下方向の略全長に亘ってバックアップ材４３を取付ける。バックアップ材４３はスポンジのような部材で変形し易く且つシール性を有するパッキン材４２であり、バックアップ材４３のテープを剥がすことで露出した粘着性を有する側面を段差面３に貼着して、下面が下載置部２上に当接し且つ後面の下端部が上載置部４から立上げた立上片５の前面に沿った状態で段差面３に取付けられる。
【００３５】
次いでジョイナー受け部材６の取付け部分近傍にだんご状にシーリング材４４を塗布し、この後、ジョイナー受け部材６の嵌込凹部１７を上載置部４の外縁から立ち上げた立上片５の下載置部２側の端部に上方から嵌め込んで、ジョイナー受け部材６をその近傍の部材との間がシーリング材４４でシールされるように立上片５に取付ける。このように取付けたジョイナー受け部材６にあっては図２のように補強部１９、２０を設けていない方の片側が下載置部２側に突出し且つ補強部１９、２０を設けた方の他側が上載置部４上に位置する。また図１のようにジョイナー受け部材６の補強部１９、２０のうち一方の補強部１９が前方に向けて突出し、該補強部１９の側面に沿って上側壁パネル９の側片２８の係止部３９を形成していない下端部の内側面が当接し、さらに該補強部１９の前面に沿って上側壁パネル９の表面板２６の側端部の後面が当接する。また本例ではさらに補強部１９の上面に係止部３９の下端が載置され、また台部１８の側面にも側片２８の係止部３９を形成していない下端部の内側面が当接する。
【００３６】
この後、図３のようにジョイナー７の各側壁２３をジョイナー受け部材６の各側壁嵌め込み溝１４に嵌め込んでジョイナー７の下端部内にジョイナー受け部材６の嵌入部１５を嵌め込むと共に、該ジョイナー７の収納溝２４内に上側壁パネル９の側片２８を挿入して、この側片２８に形成した係止部３９をジョイナー７の上載置部４側の被係止部２５に係止し、これによりジョイナー受け部材６の上面にジョイナー７を立設する。ここでジョイナー受け部材６の各側壁嵌め込み溝１４の外側の側面は上側程外側に位置するように傾斜した傾斜面となっており、また嵌入部１５の前後縁及び両側縁の角部は面取りしており、これによりジョイナー７の下端部に嵌入部１５を嵌め込みやすくしている。
【００３７】
次に図１０に示す右用接続ピース４５から下方に突出した挿入部４６及びスカート部４７をジョイナー受け部材６の上端部内の上載置部４側の半部及び上側壁パネル９の開口部３１の夫々に上方から嵌め込んで、該右用接続ピース４５によりジョイナー７の上載置部４側の半部と上側壁パネル９の開口部３１を上方から覆う。ここで右用接続ピース４５の挿入部４６はジョイナー７と上側壁パネル９の係止部３９の間に嵌め込まれるものであり、これにより上側壁パネル９の係止部３９の被係止部２５に対する係止はより確実なものとなる。
【００３８】
次に図６のように下側壁パネル８を上側壁パネル９と同様引掛け具３６を下載置部２から立ち上げた立上片５に引掛けると共に、該下側壁パネル８の底片３０を下載置部２の上面にパッキン材４２を介して載置した状態で、下側壁パネル８を後方に押し込んで、図３のように下側壁パネル８の上載置部４側の側片２８をジョイナー７の下載置部２側の被係止部２５と上側壁パネル９の側片２８との間からジョイナー７の収納溝２４内に挿入して、この側片２８に形成した係止部３９をジョイナー７の被係止部２５に係止し、これにより下載置部２上に下側壁パネル８を立設する。このようにジョイナー７に連結された下側壁パネル８の側片２８の後端の一部は図１１のように前記バックアップ材４３の前面に近接する（当接又はわずかな隙間を介して対向する）。
【００３９】
次に前記右用接続ピース４５と左右対称となった図示しない左用接続ピースから下方に突出した挿入部４６及びスカート部４７をジョイナー受け部材６の上端部内の下載置部２側の半部及び下側壁パネル８の開口部３１の夫々に上方から嵌め込んで、該左用接続ピースによりジョイナー７の下載置部２側の半部と下側壁パネル８の開口部３１を上方から覆う。ここで左用接続ピースの挿入部はジョイナー７と下側壁パネル８の係止部３９の間に嵌め込まれるものであり、これにより下側壁パネル８の係止部３９の被係止部２５に対する係止はより確実なものとなる。
【００４０】
次に図１のようにジョイナー７の収納溝２４内に収納された上側壁パネル９の側片２８と下側壁パネル８の側片２８との間に上側壁パネル９の側片２８の上下全長に亘ってガスケット１０を打ち込んでこの間をシールすると共に、図１１のように下側壁パネル８の側片２８の上側壁パネル９よりも下方に位置する部分と浴室床１の段差面３の前部との間に前方からコーキング材５０を充填してこの間をシールし、上側壁パネル９と下側壁パネル８の連結が完了する。なおガスケット１０の下端部の後部には図示しない切欠を形成してあって、該切欠の上縁はジョイナー受け部材６のガスケット挿入溝１６内に挿入されてガスケット挿入溝１６の底面に載置される。また上側壁パネル９の上載置部４とは反対側の係止部３９は次に立設される図示しないジョイナーに係止される。
【００４１】
ここで上記のように下側壁パネル８の側片２８と上側壁パネル９の側片２８の係止部３９を形成していない強度の弱い下端部との間にガスケット１０を打ち込んだ場合、上側壁パネル９の側片２８の係止部３９を形成していない下端部には外側に向けて力がかかるが、該上側壁パネル９の側片２８の係止部３９を形成していない下端部の内側面はジョイナー受け部材６の補強部１９の下載置部２側の側面に沿っているので、該補強部１９によりガスケット１０の打ち込みに伴い上側壁パネル９の側片２８の係止部３９を形成していない下端部が外側に広がるように変形することを防止できる。また本例では上側壁パネル９の表面板２６の側端部の後面は補強部１９の前面に沿うので表面板２６の側端部の後方への変形を防止でき、より一層上側壁パネル９の側片２８の変形を防止できる。
【００４２】
また上記ジョイナー受け部材６を左右対称とし、且つジョイナー受け部材６の前面及び後面の夫々の嵌込凹部１７側の半部から嵌入部１５よりも下方に位置する補強部１９、２０を突設したので、本実施形態とは逆に浴室側から見て左側に上載置部４が位置し且つ右側に下載置部２が位置する場合にも、本実施形態と同様にジョイナー受け部材６の嵌込凹部１７を上載置部４から立ち上げた立上片５に嵌め込んで取付けると共に、該ジョイナー受け部材６上にジョイナー７を立設し、且つ本実施形態とは逆にジョイナー受け部材６の前方に突出することとなる補強部２０の側面及び前面に上側壁パネル９の側片２８の係止部３９を形成していない下端部及び同上側壁パネル９の表面板２６の側端部を沿わせることができる。即ち本発明におけるジョイナー受け部材６は浴室側から見て右側に上載置部４が位置し且つ左側に下載置部２が位置する場合も左側に上載置部４が位置し且つ右側に下載置部２が位置する場合も共に利用することができ、ジョイナー受け部材６の製造コストを削減できる。
【００４３】
また本実施形態では上記各補強部１９、２０の夫々の基端部を各補強部１９、２０の他部よりも薄肉とした切断可能部２２とすることで、図１４のように切断可能部２２をニッパー等の切断工具４９の刃部を刃部挿入溝２１に挿入した状態で容易に切断でき、このように切断することで補強部１９又は２０を除去できるようになっている。従ってジョイナー受け部材６のすぐ後方に建物躯体が位置する時、右側に上載置部４が位置する場合は側片２８の補強に用いない後方に突出した補強部２０を除去し、また左側に上載置部４が位置する場合は補強部１９を除去して、補強部１９又は補強部２０が後方の建物躯体に干渉しないようにできる。
【００４４】
また本実施形態では上記段差面３の後部に上下方向の略全長に亘ってバックアップ材４３を取付け、該バックアップ材４３の前面に下載置部２に載置した下側壁パネル８の側片２８の後端を近接させたので、該バックアップ材４３により下側壁パネル８の側片２８と段差面３の前部との間に充填されるコーキング材５０が外部に漏れ出ることを防止できる。
【００４５】
なお本実施形態では床パンからなる洗い場部１１の外縁を下載置部２とすると共に浴槽部１２の外縁を上載置部４としたが、例えば床パンからなる洗い場部１１の外縁に下載置部２及び該下載置部２に段差面３を介して上載置部４を形成し、この下載置部２に立設される下側壁パネル８と上載置部４に立設される上側壁パネル９の連結に本発明を適用しても良い。
【図面の簡単な説明】
【００４６】
【図１】本発明の実施の形態の一例を示す要部拡大側断面図である。
【図２】同上の正断面図である。
【図３】同上の水平断面図である。
【図４】同上の浴室床の斜視図である。
【図５】同上の浴室床の段差部付近の斜視図である。
【図６】引掛け具の取付けを示す説明図である。
【図７】（ａ）は載置部及び立上片を巾木で構成した例であり、（ｂ）は載置部及び立上片を床パン等からなる浴室床と一体に形成した例である。
【図８】同上のジョイナー受け部材の斜視図である。
【図９】同上のジョイナー受け部材を示すもので、（ａ）は正面図、（ｂ）は側面図、（ｃ）は底面図、（ｄ）は平面図である。
【図１０】同上の上側壁パネルを立設した後の状態を示す斜視図である。
【図１１】同上の壁パネルの連結構造を示すもので、段差面の下部で切断した水平断面図である。
【図１２】同上の壁パネルを示すもので、（ａ）は水平断面図、（ｂ）は平面図、（ｃ）は底面図、（ｄ）は側断面図、（ｅ）は側面図、（ｆ）は背面図である。
【図１３】同上の壁パネルの取付片の要部を拡大した背面図である。
【図１４】同上のジョイナー受け部材の補強部の切断の説明に用いた斜視図である。
【図１５】壁パネルの下端角部の斜視図である。
【図１６】同上の下側壁パネルを施工する前の状態を示す斜視図である。
【図１７】従来のジョイナー受け部材を示すもので（ａ）は右用ジョイナー受け部材の斜視図であり、（ｂ）は左用ジョイナー受け部材の斜視図である。
【符号の説明】
【００４７】
１  浴室床
１ａ  一辺
２  下載置部
３  段差面
４  上載置部
５  立上片
６  ジョイナー受け部材
７  ジョイナー
８  下側壁パネル
９  上側壁パネル
１０  ガスケット
１５  嵌入部
１７  嵌込凹部
１９  補強部
２０  補強部
２２  切断可能部
２３  側壁
２４  収納溝
２６  表面板
２８  側片
３０  底片
３９  係止部
４０  空所
４３  バックアップ材
【図１】
0004635811.tif 000002
【図２】
0004635811.tif 000003
【図３】
0004635811.tif 000004
【図４】
0004635811.tif 000005
【図５】
0004635811.tif 000006
【図６】
0004635811.tif 000007
【図７】
0004635811.tif 000008
【図８】
0004635811.tif 000009
【図９】
0004635811.tif 000010
【図１０】
0004635811.tif 000011
【図１１】
0004635811.tif 000012
【図１２】
0004635811.tif 000013
【図１３】
0004635811.tif 000014
【図１４】
0004635811.tif 000015
【図１５】
0004635811.tif 000016
【図１６】
0004635811.tif 000017
【図１７】
0004635811.tif 000018